(57)【要約】【課題】排出された原稿の視認性を高めるとともに、対で配置されるガイドをスムーズに連動して移動させることができる原稿トレイを備えた自動原稿搬送装置を提供する。【解決手段】ＡＤＦが備える原稿トレイ２３は、２つのサイドガイド１７，１８と、窓部１３と、２つのラックピニオン機構７１，８１と、を備える。この原稿トレイ２３の下方には、ＡＤＦの排出トレイが配置される。２つのサイドガイド１７，１８は、原稿トレイ２３の下流側部分に配置され、原稿の側部をガイドする。窓部１３は、２つのサイドガイド１７，１８の間で少なくとも一部が露出するように配置される。第１ラックピニオン機構７１は、第１サイドガイド１７の上流側端部と、第２サイドガイド１８の上流側端部と、を接続する。第２ラックピニオン機構８１は、第１サイドガイド１７の下流側端部と、第２サイドガイド１８の下流側端部と、を接続する。【選択図】図２
2010013257.tif 000002
【特許請求の範囲】
【請求項１】
原稿を供給するための原稿トレイと、
前記原稿トレイの下方に配置される排出トレイと、
前記原稿トレイから前記排出トレイまで前記原稿を搬送するための原稿搬送経路と、
を備え、
前記原稿トレイは、
前記原稿の一側の側部をガイドするために前記原稿トレイの原稿搬送方向下流側の部分に配置され、前記原稿の幅方向に移動可能な第１ガイド部と、
前記第１ガイド部と前記原稿の幅方向で対面するように配置され、前記原稿の幅方向に移動可能な第２ガイド部と、
前記第１ガイド部と前記第２ガイド部との間の位置において少なくとも一部を露出可能に構成される透過部と、
前記第１ガイド部の原稿搬送方向上流側の端部と、前記第２ガイド部の原稿搬送方向上流側の端部と、を接続する第１ラックピニオン機構と、
前記第１ガイド部の原稿搬送方向下流側の端部と、前記第２ガイド部の原稿搬送方向下流側の端部と、を接続する第２ラックピニオン機構と、
を有することを特徴とする自動原稿搬送装置。
【請求項２】
請求項１に記載の自動原稿搬送装置であって、
前記第１ガイド部及び前記第２ガイド部のうち少なくとも一方において、少なくとも一部が透明であることを特徴とする自動原稿搬送装置。
【請求項３】
請求項１又は２に記載の自動原稿搬送装置であって、
前記透過部は、前記第１ラックピニオン機構及び前記第２ラックピニオン機構の間に配置されることを特徴とする自動原稿搬送装置。
【請求項４】
請求項１から３までの何れか一項に記載の自動原稿搬送装置であって、
前記第１ラックピニオン機構が有する第１ピニオン及び前記第２ラックピニオン機構が有する第２ピニオンの少なくとも何れかの軸線が原稿搬送方向に対して平行となるように配置されることを特徴とする自動原稿搬送装置。
【請求項５】
請求項１から４までの何れか一項に記載の自動原稿搬送装置であって、
前記第１ラックピニオン機構が有する第１ピニオンと、前記第２ラックピニオン機構が有する前記第２ピニオンと、が連結軸で連結されていることを特徴とする自動原稿搬送装置。
【請求項６】
請求項５に記載の自動原稿搬送装置であって、
前記透過部は前記原稿の幅方向に複数配置され、前記連結軸は、複数の前記透過部に挟まれた位置に配置されることを特徴とする自動原稿搬送装置。
【請求項７】
請求項１から６までの何れか一項に記載の自動原稿搬送装置を備えることを特徴とする原稿読取装置。
【発明の詳細な説明】
【技術分野】
【０００１】
本発明は自動原稿搬送装置に関するものであり、詳細には、自動原稿搬送装置に原稿を供給するための原稿トレイの構成に関するものである。
【背景技術】
【０００２】
自動原稿搬送装置の上部に配置された原稿トレイと、この原稿トレイの下方に配置された排出トレイとを、原稿搬送経路で接続する構成の自動原稿搬送装置が従来から知られている。この種の自動原稿搬送装置は、排出トレイの上方に原稿トレイが配置されるレイアウトとなるため、排出された原稿が原稿トレイの陰に隠れてしまい、原稿の取り忘れ等が生じてしまうことがある。
【０００３】
そこで、例えば特許文献１は、原稿の取り忘れ等を防止するために原稿トレイに透過部分を設けて原稿の視認性を改善した構成を開示する。この特許文献１の画像形成装置は、シートを積載する給紙トレイ（原稿トレイ）と、排出されるシートを堆積する排出トレイとを上下に配置した装置において、前記給紙トレイの一部を透過して、排出トレイに排出されたシートを確認可能に構成される。特許文献１は、この構成により、給紙トレイの透過部分から排出トレイに堆積されるシートを容易に確認できるとしている。
【特許文献１】特開２００３−２０１０４６号公報
【発明の開示】
【発明が解決しようとする課題】
【０００４】
この原稿トレイにおいては、セットされる原稿を案内するための可動式のガイド部を備えることが一般的であり、このガイド部を移動させるための機構は原稿トレイの内部又は底面に備えられることが多い。従って、特許文献１のように原稿トレイの一部を透過させる構成とする場合、ガイド部の可動機構によって透過部分が遮られてしまうことがあり、視認性を向上させる観点から改善の余地があった。
【０００５】
本発明は以上の事情に鑑みてなされたものであり、その目的は、排出トレイに排出される原稿の視認性を高めるとともに、ガイド部をスムーズに可動させることができる原稿トレイを備えた自動原稿搬送装置を提供することにある。
【課題を解決するための手段及び効果】
【０００６】
本発明の解決しようとする課題は以上の如くであり、次にこの課題を解決するための手段とその効果を説明する。
【０００７】
本発明の第１の観点によれば、以下のように構成される自動原稿搬送装置が提供される。即ち、この自動原稿搬送装置は、原稿トレイと、排出トレイと、原稿搬送経路と、を備える。前記原稿トレイは、原稿を供給する。前記排出トレイは、前記原稿トレイの下方に配置される。前記原稿搬送経路は、前記原稿トレイから前記排出トレイまで前記原稿を搬送する。前記原稿トレイは、第１ガイド部と、第２ガイド部と、透過部と、第１ラックピニオン機構と、第２ラックピニオン機構と、を有する。前記第１ガイド部は、前記原稿の一側の側部をガイドするために前記原稿トレイの原稿搬送方向下流側の部分に配置され、前記原稿の幅方向に移動可能である。前記第２ガイド部は、前記第１ガイド部と前記原稿の幅方向で対面するように配置され、前記原稿の幅方向に移動可能である。前記透過部は、前記第１ガイド部と前記第２ガイド部との間の位置において少なくとも一部を露出可能に構成される。前記第１ラックピニオン機構は、前記第１ガイド部の原稿搬送方向上流側の端部と、前記第２ガイド部の原稿搬送方向上流側の端部と、を接続する。前記第２ラックピニオン機構は、前記第１ガイド部の原稿搬送方向下流側の端部と、前記第２ガイド部の原稿搬送方向下流側の端部と、を接続する。
【０００８】
これにより、第１ガイド部と第２ガイド部とが上流側端部と下流側端部との２箇所で連結されているので、第１ガイド部と第２ガイド部とをスムーズに連動させることができる。また、原稿トレイの下流側部分にガイド部及び透過部が配置されるので、原稿を原稿搬送経路に真っ直ぐ供給できるとともに、排出トレイに排出された原稿が小さいサイズであっても透過部によって原稿を容易に視認することができ、原稿の取り忘れを防止できる。
【０００９】
前記の自動原稿搬送装置においては、前記第１ガイド部及び前記第２ガイド部のうち少なくとも一方において、少なくとも一部が透明であることが好ましい。
【００１０】
これにより、排出トレイに排出された原稿をガイド部の透明な部分を通して視認することも可能になり、原稿の視認性を更に向上させることができる。
【００１１】
前記の自動原稿搬送装置においては、前記透過部は、前記第１ラックピニオン機構及び前記第２ラックピニオン機構の間に配置されることが好ましい。
【００１２】
これにより、透過部を通した原稿の視認が、前記第１ラックピニオン機構及び前記第２ラックピニオン機構によって妨げられることがなくなり、排出トレイの原稿の確認が容易となる。
【００１３】
前記の自動原稿搬送装置においては、前記第１ラックピニオン機構が有する第１ピニオン及び前記第２ラックピニオン機構が有する第２ピニオンの少なくとも何れかの軸線が原稿搬送方向に対して平行となるように配置されることが好ましい。
【００１４】
これにより、ピニオンの軸線を原稿搬送方向と平行に配置することができるので、ラックの歯の向きを原稿トレイの厚み方向に向けることができ、ピニオンを前記厚み方向で挟み込むようにラックを配置できる。従って、原稿搬送方向にピニオンを挟み込む場合よりもラックピニオン機構の原稿搬送方向に対して必要なスペースを縮小することができ、構成をコンパクトにまとめることができる。
【００１５】
前記の自動原稿搬送装置においては、前記第１ラックピニオン機構が有する第１ピニオンと、前記第２ラックピニオン機構が有する前記第２ピニオンと、が連結軸で連結されていることが好ましい。
【００１６】
これにより、第１ピニオンと第２ピニオンとが連結軸を介して一体的に回転するので、第１ガイド部と第２ガイド部との平行を精度良く保った状態で２つのガイド部を移動できる。また、ユーザが片側のガイド部の端部を持って移動させた場合でも、その操作力は上流側及び下流側の端部に偏ることなく、他側のガイド部に均等に伝達される。従って、両側のガイド部をスムーズに連動させながら移動させることができる。
【００１７】
前記の自動原稿搬送装置においては、前記透過部は、前記原稿の幅方向に複数配置され、前記連結軸は、複数の前記透過部に挟まれた位置に配置されることが好ましい。
【００１８】
これにより、第１ガイド部及び第２ガイド部の可動範囲を確保しつつ、透過部によって排出トレイを視認できる面積を広く確保できる。
【００１９】
本発明の第２の観点によれば、前記自動原稿搬送装置を備える原稿読取装置が提供される。
【００２０】
これにより、排出トレイに排出された原稿を、ユーザが原稿トレイ上方から透過部を通して容易に視認することができるので、ユーザが読取りの終わった原稿を排出トレイから取り忘れてしまうことを防止できる。また、原稿を原稿読取装置に読み取らせる際にも、原稿のサイズに合わせてスムーズにガイド部を可動させることができる。
【発明を実施するための最良の形態】
【００２１】
以下、本発明の好適な実施形態について図面を参照しながら説明する。図１は本発明の一実施形態に係るオートドキュメントフィーダ（ＡＤＦ）２５を備えるコピーファクシミリ複合機（複合機）２０の外観斜視図である。
【００２２】
図１に示すコピーファクシミリ複合機２０は、ブックスキャナ及びオートドキュメントフィードスキャナとして機能するイメージスキャナ装置１０を、当該複合機２０の上部に備えている。また、コピーファクシミリ複合機２０は、コピー部数、ファクシミリ送信先及び原稿読取等を指示するための操作パネル７７を備える。
【００２３】
更に、複合機２０は、記録媒体としての用紙に画像を形成する画像形成部等を内蔵した本体７８と、前記用紙を順次供給する給紙カセット７９と、を備えている。この本体７８は、通信回線を介して画像データを伝送するための図略の送受信部等を備える。
【００２４】
次に、前記複合機２０が備えるイメージスキャナ装置１０について説明する。図１に示すように、イメージスキャナ装置１０は原稿台カバー２１を備えている。この原稿台カバー２１は、ブック原稿の読取用の図略のプラテンガラスを覆うように構成されている。
【００２５】
前記イメージスキャナ装置１０は、原稿の画像を読み取るための図略のスキャナユニットを備えている。このスキャナユニットは、縮小光学系を用いて構成したり、密着型イメージセンサを用いて構成することができる。また、前記原稿台カバー２１には、自動原稿搬送装置としてのＡＤＦ２５が備えられている。このＡＤＦ２５は、シート状の原稿を前記スキャナユニットへ１枚ずつ搬送できるように構成されている。
【００２６】
図１に示すように、前記ＡＤＦ２５は、ＡＤＦ本体部１６と、原稿台カバー２１の上部に設けられた原稿トレイ２３と、この原稿トレイ２３の下方に設けられた排出トレイ２４と、を備える。
【００２７】
原稿トレイ２３及び排出トレイ２４は、何れもＡＤＦ本体部１６に接続するように設けられている。前記ＡＤＦ本体部１６の内部には、原稿トレイ２３から排出トレイ２４まで原稿を搬送するための湾曲状（横向きＵ字状）の原稿搬送経路３０が形成されている。この原稿搬送経路３０には図示しない搬送ローラが配置されており、原稿トレイ２３から供給された原稿を搬送して前記スキャナユニットに読み取らせた後、排出トレイ２４へ排出できるように構成されている。
【００２８】
原稿トレイ２３がＡＤＦ本体部１６に接続する箇所の近傍には、原稿の側部を両側からガイドするための第１サイドガイド（第１ガイド部）１７及び第２サイドガイド（第２ガイド部）１８が、何れも幅方向に移動可能に配置されている。２つのサイドガイド１７，１８は不透明な樹脂で構成されるとともに、原稿の幅方向で互いに対面するように配置されている。なお、ここでいう「原稿の幅方向」とは原稿搬送方向に対して直交する方向であって、原稿トレイ２３の原稿の載置面に平行な方向を意味する。
【００２９】
また、第１サイドガイド１７と第２サイドガイド１８との間の位置において、前記原稿トレイ２３には窓部（透過部）１３が設けられている。この窓部１３は光を透過可能に構成されており、ユーザはこの窓部１３を通して、下方の排出トレイ２４に排出された原稿を上方から視認できるように構成されている。
【００３０】
次に、図２から図４を参照して原稿トレイ２３の構成を詳細に説明する。図２は原稿トレイ２３が備える窓部１３及びサイドガイド１７，１８の様子を示した斜視図である。図３は原稿トレイ２３の内部の様子を原稿搬送方向上流側から見た一部断面図である。図４は原稿トレイ２３の内部の様子を装置正面側から見た一部断面図である。なお、以降の説明では、原稿搬送方向の上流側及び下流側を、単に「上流側」及び「下流側」と称することがある。
【００３１】
図２に示すように、原稿トレイ２３は、トレイ本体２６と、窓部１３と、２つのサイドガイド１７，１８と、前記サイドガイド１７，１８を相互に連動させる機構としての２つのラックピニオン機構７１，８１と、を備えている。以下、各部について説明する。
【００３２】
トレイ本体２６は、所定の大きさの原稿を載置できるように平板状に形成されている。トレイ本体２６の下流側端部には凸部２７が形成されており、前記ＡＤＦ本体部１６に形成された図略の差込穴に前記凸部２７を挿入することで、原稿トレイ２３をＡＤＦ２５に着脱可能に取り付けることができる。
【００３３】
窓部１３は、原稿の幅方向に複数（本実施形態では、２つ）並べて配置され、それぞれがトレイ本体２６に埋め込まれるように設けられている。それぞれの窓部１３は、排出トレイ２４及び排出トレイ２４に排出された原稿をユーザが当該窓部１３越しに視認できるように、透明の樹脂で形成されている。また、それぞれの窓部１３の上流側端部及び下流側端部に隣接するようにして、前記トレイ本体２６の上面には、原稿の幅方向に細長いスライド溝９０が形成されている。このスライド溝９０は、それぞれの窓部１３を原稿搬送方向に沿って挟むように２本ずつ配置される。
【００３４】
第１サイドガイド１７は、薄い平板状に形成された支持部４６と、この支持部４６の一端に一体的に形成された立上げ部４７と、を備えている。前記支持部４６は前記窓部１３を跨ぐように原稿搬送方向に細長く形成されるとともに、その上流側端部と下流側端部にそれぞれ脚部４８が一体的に形成されている。この脚部４８が前記スライド溝９０に挿入されることにより、前記支持部４６は前記スライド溝９０の長手方向に所定のストロークでスライドさせることができる。前記立上げ部４７は、原稿トレイ２３の底面に対してほぼ垂直なガイド壁を備えており、トレイ本体２６の上に載置された原稿の幅方向端部に前記ガイド壁を当てることで、原稿を揃えた状態で案内できるように構成されている。
【００３５】
第１サイドガイド１７の支持部４６の上流側端部において、前記スライド溝９０に挿入された脚部４８の先端には、ラック７２が一体成形されている。同様に、支持部４６の下流側端部において、前記スライド溝９０に挿入された脚部４８の先端には、ラック８２が一体成形されている。前記トレイ本体２６は中空状に構成されており、前記ラック７２，８２はトレイ本体２６の内部において、前記脚部４８から原稿トレイ２３の幅方向中央に向かって延びるように構成されている。また、前記ラック７２，８２は、前記支持部４６とともに、前記スライド溝９０に沿って原稿幅方向に移動することができる。
【００３６】
第２サイドガイド１８は、原稿トレイ２３の幅方向中心位置を挟んで、第１サイドガイド１７と反対側に配置されている。また、２つのサイドガイド１７，１８は、互いに対面するように対で配置されている。
【００３７】
第２サイドガイド１８は前記第１サイドガイド１７と同様に、薄い平板状に形成された支持部４９と、この支持部４９の一端に一体的に形成された立上げ部５０と、を備えている。支持部４９の上流側及び下流側には脚部５１が一体的に形成されており、この脚部５１がそれぞれスライド溝９０に挿入されている。また、前記立上げ部５０は、原稿トレイ２３の底面に対してほぼ垂直なガイド壁を備えており、トレイ本体２６の上に載置された原稿の幅方向端部に前記ガイド壁を当てることで、原稿を揃えた状態で案内できるように構成されている。
【００３８】
第２サイドガイド１８の支持部４９の上流側端部において、前記スライド溝９０に挿入された脚部５１の先端にはラック７３が一体成形されている。同様に、支持部４９の下流側端部において、前記スライド溝９０に挿入された脚部５１の先端にはラック８３が一体成形されている。これらのラック７３，８３は、トレイ本体２６の内部において、前記脚部５１から原稿トレイ２３の幅方向中央に向かって延びるように構成されている。また、前記ラック７３，８３は、前記支持部４９とともに、前記スライド溝９０に沿って原稿幅方向に移動することができる。
【００３９】
第１ラックピニオン機構７１は、前記窓部１３に上流側で隣接するように、２つのサイドガイド１７，１８の上流側端部に配置されている。この第１ラックピニオン機構７１は、第１サイドガイド１７の支持部４６に支持されるラック７２と、第２サイドガイド１８の支持部４９に支持されるラック７３と、を連結するように構成されている。
【００４０】
具体的には、第１ラックピニオン機構７１は、前記ラック７２，７３と同時に噛合する第１ピニオン７４を備えている。第１ピニオン７４は原稿トレイ２３の幅方向中央に配置され、その回転軸線が原稿の搬送方向と平行になるように向けられている。そして、第１サイドガイド１７の支持部４６から第１ピニオン７４へ延びるラック７２と、第２サイドガイド１８の支持部４９から第１ピニオン７４へ延びるラック７３と、が第１ピニオン７４を原稿トレイ２３の厚み方向で挟み込むように配置されている。
【００４１】
第２ラックピニオン機構８１は、前記窓部１３に下流側で隣接するように、２つのサイドガイド１７，１８の下流側端部に配置されている。また、第２ラックピニオン機構８１は、トレイ本体２６の搬送方向下流側端部に配置されている。この第２ラックピニオン機構８１は、第１サイドガイド１７の支持部４６に支持されるラック８２と、第２サイドガイド１８の支持部４９に支持されるラック８３と、を連結するように構成されている。
【００４２】
第２ラックピニオン機構８１も第１ラックピニオン機構７１と同様に、前記ラック８２，８３と同時に噛合する第２ピニオン８４を備えている。第２ピニオン８４は原稿トレイ２３の幅方向中央に配置され、その回転軸線が原稿の搬送方向と平行になるように向けられている。そして、第１サイドガイド１７の支持部４６から第２ピニオン８４へ延びるラック８２と、第２サイドガイド１８の支持部４９から第２ピニオン８４へ延びるラック８３と、が第２ピニオン８４を原稿トレイ２３の厚み方向で挟み込むように配置されている。
【００４３】
第１ピニオン７４及び第２ピニオン８４は回転軸線を相互に一致させるように配置されるとともに、原稿搬送方向と平行なロッド状の連結軸９１によって互いに連結されている。この連結軸９１は、原稿幅方向に並べて配置される前記窓部１３の間に挟まれるようにして、原稿トレイ２３の幅方向中央部分に配置されている。図４に示すように、この連結軸９１は、前記トレイ本体２６に軸受９２を介して回転可能に支持されている。これにより、連結軸９１を原稿幅方向の中心位置に配置して、サイドガイド１７，１８の十分な可動範囲を確保できる。
【００４４】
この構成で、ユーザは、原稿トレイ２３に載置される原稿のサイズが種々異なるのに合わせて、サイドガイド１７，１８を窓部１３の上側で移動させる。
【００４５】
サイドガイド１７，１８は２つのラックピニオン機構７１，８１によって連結されているので、ユーザが、例えば一側のサイドガイド１７を移動させると、その移動方向と反対の向きに、他側のサイドガイド１８が同じ距離だけ移動する。このように２つのサイドガイド１７，１８を対称的に移動させることで、様々なサイズの原稿を、その幅方向中心位置を維持するようにしてセットすることができる。
【００４６】
、
以上に示すように、本実施形態の原稿トレイ２３では、一対のサイドガイド１７，１８が２つのラックピニオン機構７１，８１によって互いに連結され、また、当該２つのラックピニオン機構７１，８１同士が連結軸９１によって相互に連結される構成となっている。従って、第１サイドガイド１７側の２つのラック７２，８２が連結軸９１によって連結され、第２サイドガイド１８側の２つのラック７３，８３も連結軸９１によって連結される形となる。これにより、ユーザが例えば片側のサイドガイド１７の下流側端部を持って移動させるような場合でも、当該下流側端部だけが先行して移動することがなく、それぞれのサイドガイド１７，１８を互いに平行な状態を保ったままスムーズに移動させることができる。
【００４７】
また、本実施形態において前記サイドガイド１７，１８は、ＡＤＦ２５の内部に形成される原稿搬送経路３０の入口近傍であって、原稿トレイ２３の下流側部分に備えられている。従って、原稿搬送経路３０に原稿の全部が繰り込まれる直前まで当該原稿の側部を案内することができるので、原稿搬送経路３０に原稿を真っ直ぐ供給でき、原稿の斜行を良好に防止できる。
【００４８】
また、この構成の原稿トレイ２３が図１に示すように排出トレイ２４の上方に配置されることにより、原稿を原稿トレイ２３にセットする前では、ユーザは排出トレイ２４を窓部１３から視認することができる。また、原稿トレイ２３に原稿をセットしてイメージスキャナ装置１０による読取を開始し、前部の原稿が排出トレイ２４に排出されると、その排出された原稿を、露出した前記窓部１３を通して視認可能となる。
【００４９】
本実施形態の窓部１３は、前記サイドガイド１７，１８の下方に設けられており、２つのサイドガイド１７，１８の間の位置で一部又は全部を露出可能に構成されている。即ち、窓部１３はサイドガイド１７，１８と同様に、ＡＤＦ２５の原稿搬送経路３０の入口近傍であって、原稿トレイ２３の下流側部分に備えられている。従って、例えば小サイズの原稿を読み取り、当該原稿が排出トレイ２４上においてＡＤＦ本体部１６に近い位置に排出された場合であっても、ユーザは窓部１３を通して、排出トレイ２４上の原稿を上方から容易に視認することができる。
【００５０】
なお、原稿トレイ２３及び排出トレイ２４の少なくとも何れか一方を、他の部分とは異なる適宜の色で着色することもできる。この場合、当該排出トレイ２４に排出された例えば白色の紙からなる原稿が、周囲の色から浮かび上がるように強いコントラストを形成することによって、視認性をより向上させることができる。
【００５１】
以上に示すように、本実施形態の複合機２０が備えるＡＤＦ２５は、原稿トレイ２３と、排出トレイ２４と、原稿搬送経路３０と、を備える。前記原稿トレイ２３は、原稿を供給する。前記排出トレイ２４は、前記原稿トレイ２３の下方に配置される。前記原稿搬送経路３０は、前記原稿トレイ２３から前記排出トレイ２４まで前記原稿を搬送する。前記原稿トレイ２３は、第１サイドガイド１７と、第２サイドガイド１８と、窓部１３と、第１ラックピニオン機構７１と、第２ラックピニオン機構８１と、を有する。前記第１サイドガイド１７は、前記原稿の一側の側部をガイドするために原稿トレイ２３の原稿搬送方向下流側の部分に配置され、原稿の幅方向に移動可能である。前記第２サイドガイド１８は、前記第１サイドガイド１７と原稿の幅方向で対面するように配置され、原稿の幅方向に移動可能である。前記窓部１３は、前記第１サイドガイド１７と前記第２サイドガイド１８との間の位置において少なくとも一部を露出可能に構成される。前記第１ラックピニオン機構７１は、前記第１サイドガイド１７の原稿搬送方向上流側の端部と、前記第２サイドガイド１８の原稿搬送方向上流側の端部と、を接続する。前記第２ラックピニオン機構８１は、前記第１サイドガイド１７の原稿搬送方向下流側の端部と、前記第２サイドガイド１８の原稿搬送方向下流側の端部と、を接続する。
【００５２】
この構成により、一対のサイドガイド１７，１８が上流側端部と下流側端部との２箇所で互いに連結されているので、サイドガイド１７，１８をスムーズに連動させることができる。また、原稿トレイ２３の下流側部分に窓部１３が配置されるレイアウトとなるので、排出トレイ２４に排出された原稿が小さいサイズであっても窓部１３によって原稿を容易に視認することができ、原稿の取り忘れを防止できる。
【００５３】
また、本実施形態のＡＤＦ２５において、前記窓部１３は、第１ラックピニオン機構７１及び第２ラックピニオン機構８１の間に配置される。
【００５４】
この構成により、窓部１３を通した原稿の視認が、第１ラックピニオン機構７１及び第２ラックピニオン機構８１によって妨げられることがないので、排出トレイ２４の原稿の確認が容易となる。
【００５５】
また、本実施形態のＡＤＦ２５において、第１ラックピニオン機構７１の第１ピニオン７４、及び、第２ラックピニオン機構８１の第２ピニオン８４は、その軸線が原稿搬送方向に対して平行となるように配置される。
【００５６】
この構成により、それぞれのラックピニオン機構７１，８１において、第１ピニオン７４及び第２ピニオン８４の軸線を原稿搬送方向と平行に配置することができる。これにより、ラック７２及びラック８２の歯とラック７３及びラック８３の歯とが原稿トレイ２３の厚み方向に向かい合うように配置でき、第１ピニオン７４及び第２ピニオン８４を厚み方向で挟み込むようにラック７２，７３及びラック８２，８３を配置できる。従って、ピニオンの軸線が厚み方向であるために原稿搬送方向に挟み込むようにラックが配置される構成に比べてラックピニオン機構７１，８１の原稿搬送方向に対して必要なスペースを縮小して、構成をコンパクトにまとめることができる。
【００５７】
また、本実施形態のＡＤＦ２５において、第１ラックピニオン機構７１が有する第１ピニオン７４と、第２ラックピニオン機構８１が有する第２ピニオン８４と、が連結軸９１で連結されている。
【００５８】
この構成により、第１ピニオン７４と第２ピニオン８４とが連結軸９１を介して一体的に回転するので、２つのサイドガイド１７，１８を、その平行状態を精度良く保ちながら移動させることができる。また、前記連結軸９１によって、例えば第１サイドガイド１７の上流側端部と下流側端部が相互に連結される形となる。従って、ユーザが第１サイドガイド１７の例えば下流側端部を持って操作した場合でも、その操作力を上流側及び下流側の何れにも偏らせずに第２サイドガイド１８に均等に伝達し、両側のサイドガイド１７，１８を円滑に連動させて移動させることができる。
【００５９】
また、本実施形態のＡＤＦ２５において、前記窓部１３は、前記原稿の幅方向に複数配置される。そして、前記連結軸９１は、複数の前記窓部１３に挟まれた位置に配置される。
【００６０】
この構成により、サイドガイド１７及びサイドガイド１８の可動範囲を確保しつつ、窓部１３によって排出トレイ２４を視認できる面積を広く確保できる。
【００６１】
また、本実施形態のイメージスキャナ装置１０は前記ＡＤＦ２５を備える。
【００６２】
この構成により、排出トレイ２４に排出された原稿を、ユーザが原稿トレイ２３上方から窓部１３を通して容易に視認することができるので、ユーザが読取りの終わった原稿を排出トレイ２４から取り忘れてしまうことを防止できる。また、原稿をイメージスキャナ装置１０に読み取らせる際にも、原稿のサイズに合わせてスムーズにサイドガイド１７，１８を可動させることができる。
【００６３】
なお、上記実施形態のサイドガイド１７，１８は不透明な部材で構成されているが、これに代えて、サイドガイドの一部又は全部を透明に構成することもできる。
【００６４】
この場合、サイドガイドを平面視で窓部１３と重なる位置に移動させたとしても、排出トレイ２４に排出された原稿を窓部１３及びサイドガイドを通して視認することができ、原稿の視認性を一層向上させることができる。
【００６５】
以上に本発明の好適な実施形態を説明したが、上記の構成は更に以下のように変更することができる。
【００６６】
上記実施形態において、第１ピニオン７４と第２ピニオン８４とを連結する連結軸９１を省略するように変更することができる。この場合、サイドガイド１７とサイドガイド１８との間に、幅方向の全体にわたって途切れることのない単一の広い窓部を構成することができる。従って、ラックピニオン機構７１，８１によってサイドガイド１７，１８を連動させるとともに、窓部の原稿トレイ２３に占める面積を拡大することができる。
【００６７】
窓部１３は透明に構成されることに代えて、例えば半透明状に形成することができる。また、窓部１３を樹脂で構成することに代えて、例えばガラス等の他の適宜の素材に変更することができる。
【００６８】
上記実施形態では、窓部１３は原稿トレイ２３に２つ配置される構成であるが、３つ以上設置する構成に変更することができる。また、窓部の形状を円形に変更したり、窓部を原稿幅方向と原稿搬送方向の双方に複数並べる構成等に変更したりすることができる。
【００６９】
また、上記実施形態では、第１ピニオン７４及び第２ピニオン８４の軸線が原稿の搬送方向に平行となるように構成されているが、少なくとも何れかのピニオンの軸線を例えば原稿トレイ２３の厚み方向に配置するように変更してもよい。
【００７０】
前記コピーファクシミリ複合機２０に代えて、例えば、コピー機、ファクシミリ装置等にも、上記実施形態のＡＤＦ２５を適用することができる。また、フラットベッドスキャナ兼用の構成に代えて、オートドキュメントフィードスキャナ専用のイメージスキャナ装置に対しても、上記実施形態の構成を適用することができる。
【００７１】
上記実施形態ではイメージスキャナ装置１０は複合機２０の一部として備えられているが、この構成に代えて、単体のイメージスキャナ装置として構成することができる。
【図面の簡単な説明】
【００７２】
【図１】本発明の一実施形態に係る自動原稿搬送装置を含むコピーファクシミリ複合機の様子を示した外観斜視図。
【図２】原稿トレイを詳細に示した斜視図。
【図３】原稿トレイの内部の様子を原稿搬送方向上流側から見た一部断面図。
【図４】原稿トレイの内部の様子を装置正面側から見た一部断面図。
【符号の説明】
【００７３】
１０  イメージスキャナ装置（原稿読取装置）
１３  窓部（透過部）
１７  第１サイドガイド（第１ガイド部）
１８  第２サイドガイド（第２ガイド部）
２０  コピーファクシミリ複合機
２３  原稿トレイ
２４  排出トレイ
２５  自動原稿搬送装置（ＡＤＦ）
３０  原稿搬送経路
７１  第１ラックピニオン機構
８１  第２ラックピニオン機構
９１  連結軸
【図１】
2010013257.tif 000003
【図２】
2010013257.tif 000004
【図３】
2010013257.tif 000005
【図４】
2010013257.tif 000006